(57)【要約】【課題】設置場所から一旦移動させ再び元の設置場所に戻したときに、装置本体の高さ調節およびレベル合わせが不要で、短時間で容易に元の状態で再設置することができる画像処理装置を提供することを目的としている。【解決手段】装置本体２と、この装置本体２を下方から支持する複数の高さ調節機能付の支持脚３と、これらの支持脚３が床面Ｆに非接触状態のとき、装置本体２を走行自在に下方から支持する複数の走行輪４３とを備え、各走行輪４３は、その下端が、高さ調節された支持脚下端に対し、上方位置および下方位置のいずれにも変更自在な位置調節手段を備えていることを特徴としている。【選択図】      図３
2004189057.tif 000002
【特許請求の範囲】
【請求項１】
装置本体と、この装置本体を下方から支持する複数の高さ調節機能つき支持脚と、これらの支持脚が装置設置面に非接触状態のとき、装置本体を走行自在に下方から支持する複数の走行輪とを備える画像処理装置において、
各走行輪は、その下端が、高さ調節された支持脚下端に対し、上方位置および下方位置のいずれにも変更自在な位置調節手段を備えていることを特徴とする画像処理装置。
【発明の詳細な説明】
【０００１】
【発明の属する技術分野】
本発明は、画像処理装置に関する。
【０００２】
【従来の技術】
一般に画像処理装置は、重量が非常に重いことから、図４に示すように、装置本体１００の下面四隅に、キャスター等の走行輪１１０を設けるとともに、凹凸のある床面Ｆに設置した場合でも、装置本体１００を常に水平に設置できるように、走行輪１１０に隣接して装置本体１００の四隅下面に高さ調節機能つきの支持脚１２０を備えている。すなわち、支持脚１２０は、床面Ｆに接地する脚部本体１２１と、この脚部本体１２１の上面から立ち上がるネジ部１２２とを備え、脚部本体１２１を回転操作してネジ部１２２を装置本体１００に設けられたネジ孔に螺進あるいは螺退させて脚部本体１２１を装置本体１００に対して進退させるようになっている（特許文献１参照）。
【０００３】
そして、この画像処理装置は、まず、支持脚１２０をネジ部１２２を装置本体１００側に螺進させて、各脚部本体１２１の下端が、走行輪１１０の下端より高い位置にあるようにして、各走行輪１１０を床面Ｆに接地し走行可能状態にして設置場所まで走行移動させたのち、脚部本体１２１を回転操作してネジ部１２２を装置本体１００から螺退させて、各支持脚１２０の脚部本体１２１の下端が床面Ｆに接地させるとともに、走行輪１１０が床面Ｆから少し浮き上がらせて四隅の支持脚１２０によって装置本体１００を支持するとともに、各支持脚１２０の装置本体１００からの進出度合いを調節して装置本体１００の高さ調節およびレベル合わせを行うようになっている。
【０００４】
しかしながら、上記従来の画像処理装置は、清掃などのために装置を移動させたりしようとすると、まず、支持脚１２０の脚部本体１２１を回転操作してネジ部１２２を装置本体１００側に螺進させ脚部本体１２１の下端を走行輪１１０の下端より高い位置にして走行輪１１０を床面Ｆに接地させ、設置場所から画像処理装置を走行移動させなければならない。そして、清掃等が完了し画像処理装置を元の設置場所に戻した場合、再び、装置本体１００の高さ調節および時間のかかるレベル合わせを行わなければならず非常に面倒である。
【０００５】
【特許文献１】特開平１０−２２７３９２号公報
【０００６】
【発明が解決しようとする課題】
本発明は、上記事情に鑑みて、設置場所から一旦移動させ再び元の設置場所に戻したときに、装置本体の高さ調節およびレベル合わせが不要で、短時間で容易に元の状態で再設置することができる画像処理装置を提供することを目的としている。
【０００７】
【課題を解決するための手段】
上記目的を達成するために、本発明にかかる画像処理装置は、装置本体と、この装置本体を下方から支持する複数の高さ調節機能付の支持脚と、これらの支持脚が装置設置面に非接触状態のとき、装置本体を走行自在に下方から支持する複数の走行輪とを備える画像処理装置において、各走行輪は、その下端が、高さ調節された支持脚下端に対し、上方位置および下方位置のいずれにも変更自在な位置調節手段を備えていることを特徴としている。
【０００８】
【発明の実施の形態】
以下に、本発明を、その実施の形態をあらわす図面を参照しつつ詳しく説明する。
図１および図２は、本発明にかかる画像処理装置の１例であるデジタル式焼き付け処理装置（プリンタ）をあらわしている。
【０００９】
図１および図２に示すように、このデジタル式焼き付け処理装置（以下、「焼き付け処理装置」とのみ記す）１は、装置本体２と、４つの支持脚（図では２つしかあらわれていない）３と、４つのキャスター（図では２つしかあらわれていない）４とを備えている。
支持脚３は、図１および図２に示すように、装置本体２の下面四隅にそれぞれ１つずつ設けられ、図３に示すように、脚部本体３１と、高さ調節ネジ部３２とを備えている。
【００１０】
脚部本体３１は、中央に貫通孔３３を有する上向きに凸の逆皿状をしていて、図３（ａ）に示すように、装置設置面である床面Ｆに当接するようになっている。
高さ調節ネジ部３２は、その下端部が脚部本体３１の貫通孔３３に挿通され、下端に設けられた貫通孔３３より大径の係止部３４によって脚部本体３１に回動自在に係止されているとともに、中間部に位置固定ナット３５が螺合され、上端部が装置本体２のベース部２１に溶接で固定されたナット２２に螺合されている。
【００１１】
キャスター４は、キャスター本体４１と、位置調節手段としての高さ調節部４２とを備えている。
キャスター本体４１は、走行輪４３と、スラスト部４４とを備えている。
【００１２】
スラスト部４４は、走行輪４３をその軸周りに回転自在に支持する下側部材４４ａと、下側部材４４ａを走行輪４３を支持した状態で、後述する高さ調節部４２のボルト４５を中心に回転自在支持する上側部材４４ｂとを備え、中央に貫通孔４４ｃが穿設されている。
【００１３】
高さ調節部４２は、ボルト４５と、ボルト４５の頭部側に固定されたキャスター本体受けナット４６と、キャスター本体固定ナット４７とを備え、キャスター本体固定ナット４７を取り外した状態で下側部材４４ａ側から貫通孔４７にボルト４５が挿通されたのち、キャスター本体固定ナット４７をボルト４５の先端からねじ込み、キャスター本体受けナット４６と、キャスター本体固定ナット４７との間で挟み込んで、キャスター本体４１を下側部材４４ａがボルト４５を中心に回転自在となるように支持している。そして、このようにキャスター本体４１を支持した高さ調節部４２が、ボルト４５の先端部を装置本体２のベース部２１に設けられたネジ筒２３に螺合されることによって、装置本体２に装着されている。
【００１４】
装置本体２は、図２に示すように、一側に未処理感光材料５ａの送り出しマガジン６が、他側に焼き付け処理（プリント）済み感光材料５ｂの巻き取りマガジン７がセットされ、送り出しマガジン６のスプール６１に巻回された未処理感光材料５ａを供給装置６２によって装置本体２内に引き込み、巻き取りマガジン７に送り、搬送経路中に設けられた露光手段２４によってデジタル画像を焼き付けたのち、巻き取りマガジン７に内蔵されたスプール７１に焼き付け処理済み感光材料５ｂを巻き取らせるようになっている。
そして、巻き取りマガジン７は、焼き付け処理済み感光材料５ｂがスプール一杯に巻き取られると、装置本体２から取り外され、図示していない現像処理装置（プロセッサー）にセットされ、スプールに巻き取られた焼き付け処理済み感光材料５ｂを現像処理装置に連続的に送り出すことができるようになっている。
【００１５】
そして、この焼き付け処理装置１は、設置場所に最初に設置する場合、まず、図３（ｂ）に示すように、支持脚３をその脚部本体３１が、キャスター４の走行輪４３の下端より高い位置にして装置本体２が走行輪４３によって走行自在な状態にし、装置本体２を押して所定の設置場所まで運ぶ。そして、所定の設置場所まで達したら、支持脚３の高さ調節ネジ部３２を回転させるか、キャスター４の高さ調節部４２のボルト４５を回転させて、各支持脚３の脚部本体３１をキャスター４の走行輪４３より下側になり、床面Ｆに接地するようにして、装置本体２を４つの支持脚３によって下方から支持するようにするとともに、装置本体２のレベル合わせを行う。レベル合わせが完了すると、位置固定ナット３５を回転させて装置本体２に固定されたナット２２に当たって回転できなくなるまで装置本体２側に移動させ、支持脚３をしっかりと固定して設置を完了するようになっている。
【００１６】
一方、清掃等により、焼き付け処理装置１を設置場所から一旦移動させたのち、再び元の設置場所に戻す場合には、支持脚３を固定状態のまま、図３（ａ）に示すように、各走行輪４３の下端が支持脚３の脚部本体３１よりも低い位置になるまで、各キャスター４の高さ調節部４２のボルト４５を回転させて、装置本体２を４つのキャスター４で下方から受けさせて、床面Ｆを走行させて設置場所から他所に移動させる。清掃等が終了すれば、床面Ｆを走行させて、各支持脚３が元の支持脚３の直上にくるように、元の設置場所に戻す。そして、図３（ｂ）に示すように、走行輪４３の下端が支持脚３の脚部本体３１よりも高い位置になるまで、各キャスター４の高さ調節部４２のボルト４５を回転させ、装置本体２を再び４つの支持脚３によって下方から受けさせるようになっている。
【００１７】
この焼き付け処理装置１は、以上のように、設置場所から一旦移動させたのち、再び元の設置場所に戻す場合、支持脚３の高さ調節ネジ部３２を回転させない。したがって、移動前と移動後の装置本体２と各支持脚３の脚部本体３１との距離が固定された状態であるので、元の設置場所に戻したとき、各キャスター４の高さ調節部４２のボルト４５を回転させ、装置本体２を再び４つの支持脚３によって下方から受けさせるようにするだけで移動前と同様にレベルがあった状態で設置できる。すなわち、設置場所から一旦移動させ再び元の設置場所に戻したときに高さ調節およびレベル合わせが不要で、再設置作業が容易となり、装置設置場所の清掃等を簡単にかつ短時間で行えるようになる。
【００１８】
本発明は、上記の実施の形態に限定されない。たとえば、上記の実施の形態では、画像処理装置がデジタル式露光装置であったが、アナログ式露光装置でも構わないし、プロセサやプリンタとプロセサを一体化させたものでも構わない。また、インジュジェット式や電子写真式印刷装置でも構わない。
上記の実施例では、支持脚３およびキャスター４が装置本体２の四隅に設けられていたが、大きな装置の場合中間位置にも設けるようにしても構わない。また、支持脚の数と走行輪の数とは一致しなくても構わない。
【００１９】
上記の実施の形態では、ボルト４５を回転させることによって、キャスター本体４１を垂直方向に動かすようにしていたが、キャスター本体を装置本体の下面にヒンジを介して回動自在に取り付け、キャスター本体を回動させて、走行輪の下端を支持脚の脚部本体より高い位置あるいは低い位置に移動させるようにしても構わない。
【００２０】
【発明の効果】
本発明にかかる画像処理装置は、以上のように構成されているので、設置場所から一旦移動させ再び元の設置場所に戻したときにレベル合わせが不要で、再設置作業が容易となる。
したがって、装置設置場所の清掃等を簡単にかつ短時間で行えるようになる。
【図面の簡単な説明】
【図１】本発明にかかる画像処理装置の１例であるデジタル式焼き付け処理装置の正面図である。
【図２】図１の焼き付け処理装置の内部構造を模式的にあらわす模式図である。
【図３】図１の焼き付け処理装置の走行輪と支持脚の動きを説明する説明図であって、同図（ａ）は設置状態、同図（ｂ）は走行状態をあらわしている。
【図４】従来の画像処理装置の走行輪と支持脚の動きを説明する説明図である。
【符号の説明】
１  デジタル式焼き付け装置（画像処理装置）
２  装置本体
３  支持脚
４  キャスター
４２  高さ調節部（位置調節手段）
４３  走行輪
５ａ  未処理感光材料
５ｂ  焼き付け済み感光材料
Ｆ  床面（装置設置面）
【図１】
2004189057.tif 000003
【図２】
2004189057.tif 000004
【図３】
2004189057.tif 000005
【図４】
2004189057.tif 000006